(57)【要約】【課題】複数のシート物を適切に包装する。【解決手段】台紙面１１と、折り線１２ａ、１２ａ、１３ａ、１３ａを介して台紙面１１の左右の各辺に形成する仕切面１２、のり代１３と、折り線１４ａ、１４ａ、１５ａ、１５ａを介して台紙面１１の上下の各辺に形成する蓋フラップ１４、底フラップ１５とを設ける。【選択図】図２
2006016062.tif 000002
【特許請求の範囲】
【請求項１】
四角い台紙面と、折り線を介して前記台紙面の左右の各辺に形成する仕切面、のり代と、折り線を介して前記台紙面の上下の各辺に形成する蓋フラップ、底フラップとを備えてなり、前記仕切面は、前記台紙面に折り重ねた上、前記のり代を介して接着し、前記底フラップは、前記台紙面上の前記仕切面に折り重ねて両側端部を接着することを特徴とするシート物の包装体。
【請求項２】
前記底フラップの先端側には、取出し用の切欠きを設け、前記仕切面には、前記底フラップの切欠きより浅い取出し用の切欠きを設けることを特徴とする請求項１記載のシート物の包装体。
【請求項３】
前記仕切面は、折り線を介して前記台紙面と逆方向に連接する複数枚とし、先端側から順に内側に折り畳むようにして前記台紙面に折り重ねることを特徴とする請求項１記載のシート物の包装体。
【請求項４】
前記底フラップの先端側には、取出し用の切欠きを設け、前記各仕切面には、前記底フラップの切欠きより浅く、前記台紙面に折り重ねたとき、前記台紙面に近付くに従って順に浅くなる取出し用の切欠きを設けることを特徴とする請求項３記載のシート物の包装体。
【請求項５】
前記底フラップには、前記蓋フラップの先端の挿入片を差し込むスリットを形成することを特徴とする請求項１ないし請求項４のいずれか記載のシート物の包装体。
【請求項６】
前記底フラップの左右の各辺には、折り線を介してのり代を形成することを特徴とする請求項１ないし請求項５のいずれか記載のシート物の包装体。
【発明の詳細な説明】
【技術分野】
【０００１】
この発明は、複数のコンパクトディスク、フロッピディスク、小冊子などのシート状物（以下、単にシート物という）を適切に包装することができるシート物の包装体に関する。
【背景技術】
【０００２】
コンパクトディスクを包装する包装体として、プラスチック製に代えて、コストや環境面に配慮して紙製のものが提案されている（特許文献１）。
【０００３】
このものは、１枚の紙を長方形に打ち抜き、四角い台紙部の相対向する２辺にそれぞれカバー片、支持片を連接し、支持片の内側にコンパクトディスクを係合支持させて台紙部の上に折り重ね、支持片の上にカバー片を折り重ねることにより、コンパクトディスクを包装する。なお、カバー片、支持片は、それぞれ台紙部の全面、半面を覆う大きさに形成されている。また、中間の台紙部に形成する円形の凹部にコンパクトディスクを収納し、カバー片で包装する形態も知られている（特許文献２）。
【特許文献１】特開平１０−１６７３６６号公報
【特許文献２】特開２００３−１７０９８５号公報
【発明の開示】
【発明が解決しようとする課題】
【０００４】
かかる従来技術によるときは、包装し得るコンパクトディスクが１枚のみに限定されるため、適用範囲が狭いという問題があった。また、後者のものは、台紙部の厚みを必要とするので複数枚の紙を貼り合わせなければならず、製造コストが過大となりがちである。
【０００５】
そこで、この発明の目的は、かかる従来技術の問題に鑑み、台紙面の左右の一辺に仕切面を形成し、下辺に底フラップを形成することによって、１枚の紙製でありながら、複数のシート物を適切に包装することができるシート物の包装体を提供することにある。
【課題を解決するための手段】
【０００６】
かかる目的を達成するためのこの発明の構成は、四角い台紙面と、折り線を介して台紙面の左右の各辺に形成する仕切面、のり代と、折り線を介して台紙面の上下の各辺に形成する蓋フラップ、底フラップとを備えてなり、仕切面は、台紙面に折り重ねた上、のり代を介して接着し、底フラップは、台紙面上の仕切面に折り重ねて両側端部を接着することをその要旨とする。
【０００７】
なお、底フラップの先端側には、取出し用の切欠きを設け、仕切面には、底フラップの切欠きより浅い取出し用の切欠きを設けることができる。
【０００８】
また、仕切面は、折り線を介して台紙面と逆方向に連接する複数枚とし、先端側から順に内側に折り畳むようにして台紙面に折り重ねてもよく、底フラップの先端側には、取出し用の切欠きを設け、各仕切面には、底フラップの切欠きより浅く、台紙面に折り重ねたとき、台紙面に近付くに従って順に浅くなる取出し用の切欠きを設けてもよい。
【０００９】
さらに、底フラップには、蓋フラップの先端の挿入片を差し込むスリットを形成してもよく、底フラップの左右の各辺には、折り線を介してのり代を形成してもよい。
【発明の効果】
【００１０】
かかる発明の構成によるときは、台紙面、仕切面、のり代、蓋フラップ、底フラップは、１枚の紙を打ち抜いて作ることができ、製造コストを最少にすることができる。なお、仕切面は、台紙面に折り重ねて接着することにより、台紙面との間にシート物を収納して保持することができ、底フラップは、台紙面上の仕切面に折り重ねて両側端部を仕切面の両側端部に接着することにより、仕切面との間にシート物を収納して保持することができる。すなわち、仕切面が１枚の場合、仕切面を介して２枚のシート物を分離して収納することが可能である。なお、シート物を収納した後、蓋フラップを底フラップ上に折り重ねて止めることにより、シート物の包装を完成することができる。ただし、仕切面、のり面は、それぞれ台紙面の左辺、右辺のいずれに形成してもよく、仕切面が１枚の場合、のり代を仕切面の先端側に形成しても、同一の作用効果を得ることができる。
【００１１】
底フラップ、仕切面にそれぞれ設ける取出し用の切欠きは、収納されたシート物の一部を外部に露出させ、シート物を取り出し易くすることができる。ただし、仕切面の切欠きは、底フラップの切欠きより浅くすることにより、底フラップの切欠きとともに台紙面に近付くに従って高くなる段差を形成し、開封時の見映えをよくするとともに、２枚のシート物を接触し難くすることができる。
【００１２】
複数の仕切面は、先端から順に内側に折り畳むようにして台紙面に折り重ねることにより、台紙面、底フラップとの間に加えて、各仕切面の間にもシート物を収納して保持することができる。すなわち、ｎ枚（ｎ＝１、２…）の仕切面を設けると、ｎ＋１枚のシート物を収納して包装することが可能である。なお、複数枚の仕切面のそれぞれに設ける取出し用の切欠きは、底フラップの切欠きより浅くするとともに、台紙面に折り重ねた状態において台紙面に近付くに従って浅くすることにより、底フラップの切欠きとともに、台紙面に近付くに従って高くなる適切な段差を形成することができる。
【００１３】
蓋フラップは、先端の挿入片を底フラップのスリットに差し込むことにより、簡単に止めることができる。また、底フラップは、左右の各辺に形成するのり代を介して両側端部を接着することにより、仕切面との間のシート物の収納用空間が接着のために狭められることがない。ただし、底フラップののり代は、底フラップと仕切面との間に折り込み、仕切面の両側端部に接着するものとする。
【発明を実施するための最良の形態】
【００１４】
以下、図面を以って発明の実施の形態を説明する。
【００１５】
シート物の包装体は、１枚の紙を打ち抜いて作り、四角い台紙面１１と、台紙面１１の左右の各辺に形成する仕切面１２、のり代１３と、台紙面１１の上下の各辺に形成する蓋フラップ１４、底フラップ１５とを備えてなる（図１、図２）。ただし、図１には、シート物としてのコンパクトディスクＣＤ、ＣＤが例示されている。
【００１６】
台紙面１１は、コンパクトディスクＣＤに対し、上下方向に必要最小の余裕を有し、左右方向に十分な余裕を有するように、やや横長の長方形に形成されている。仕切面１２は、平行な２条の折り線１２ａ、１２ａを介し、台紙面１１の左辺に形成されている。なお、仕切面１２の上辺には、取出し用の切欠き１２ｂが半月状に形成されている。のり代１３は、平行な２条の折り線１３ａ、１３ａを介し、台紙面１１の右辺に形成されている。のり代１３の上辺は、先端側が斜めに切り欠かれ、下辺は、全部が斜めに形成されている。
【００１７】
蓋フラップ１４は、先端が丸い山形に形成され、平行な２条の折り線１４ａ、１４ａを介し、台紙面１１の上辺に形成されている。なお、蓋フラップ１４の先端部には、折り線１４ａ、１４ａと平行な折り線１４ｂを介して挿入片１４ｃが形成されている。
【００１８】
底フラップ１５は、平行な２条の折り線１５ａ、１５ａを介し、台紙面１１の下辺に形成されている。底フラップ１５の下辺には、取出し用の切欠き１５ｂが半月状に形成されており、切欠き１５ｂの頂部付近には、蓋フラップ１４の挿入片１４ｃを差し込むスリット１５ｃが形成されている。
【００１９】
かかる包装体は、折り線１３ａ、１３ａを介してのり代１３を台紙面１１上に折り込み（図３）、折り線１２ａ、１２ａを介して仕切面１２を台紙面１１に折り重ねた上、のり代１３を介して接着し、折り線１５ａ、１５ａを介して底フラップ１５を台紙面１１上の仕切面１２に折り重ね、底フラップ１５の左右の両側端部を仕切面１２の左右の両側端部に接着する。ただし、図３において、一点鎖線Ａ、Ａ…は、のり代１３、底フラップ１５に設ける接着剤の塗布範囲を模式的に図示している。すなわち、のり代１３や、底フラップ１５の両側端部の接着剤の塗布範囲は、それぞれのり代１３の高さｈより十分狭い必要最小の範囲に設定されている。なお、のり代１３側の接着剤は、仕切面１２側の対応する領域に塗布してもよく、底フラップ１５側の接着剤は、仕切面１２側の対応する領域に塗布してもよい。
【００２０】
以上のようにして包装体を組み立てると（図１）、底フラップ１５、仕切面１２の切欠き１５ｂ、１２ｂは、台紙面１１に近付くに従って高くなる段差を形成する。すなわち、図２において、切欠き１２ｂの深さａは、切欠き１５ｂの深さｂに対し、ａ＜ｂとなっている。また、図２において、切欠き１５ｂ、１２ｂの両側には、それぞれ幅ｗの平行部が形成されており、のり代１３の上辺の平行部ｗ1 は、ｗ1 ≦ｗとなっている。そこで、図１の組立て状態において、のり代１３は、仕切面１２に隠されており、外部に露出することがない。
【００２１】
組立て後の包装体は、台紙面１１と仕切面１２との間、仕切面１２と底フラップ１５との間にそれぞれコンパクトディスクＣＤを収納して保持することができる（図１の二点鎖線、図４、図５）。なお、収納されたコンパクトディスクＣＤ、ＣＤは、それぞれ取出し用の切欠き１５ｂ、１２ｂを介して一部が外部に露出するが、仕切面１２があり、切欠き１５ｂ、１２ｂの段差があるために、互いに接触し難くなっている。そこで、折り線１４ａ、１４ａを介して蓋フラップ１４を底フラップ１５側に折り重ね（図４の矢印方向）、先端の挿入片１４ｃをスリット１５ｃに差し込んで止めることにより（図６）、コンパクトディスクＣＤ、ＣＤの包装を完成することができる（図７）。
【他の実施の形態】
【００２２】
仕切面１２は、台紙面１１の左右の一辺に対し、折り線１２ｃを介して台紙面１１と逆方向に連接する複数枚とすることができる（図８、図９）。ただし、図９において、仕切面１２、１２、のり代１３は、それぞれ台紙面１１の右辺、左辺に形成されている。
【００２３】
仕切面１２、１２は、先端側から順に内側に折り畳むようにして台紙面１１に折り重ね（図１０（Ａ））、のり代１３を介して台紙面１１に最も近い仕切面１２を接着するとともに、底フラップ１５を仕切面１２、１２に折り重ねて、底フラップ１５に最も近い仕切面１２の左右の両側端部に両側端部を接着することにより、台紙面１１との間、底フラップ１５との間に加えて、仕切面１２、１２の間にも、それぞれコンパクトディスクＣＤを収納して保持することができる（図１０（Ａ）、図８の各二点鎖線）。なお、このとき、各仕切面１２の切欠き１２ｂ、１２ｂは、それぞれの深さａ＜ｂとするとともに、台紙面１１に仕切面１２、１２を折り重ねたとき、台紙面１１に近付くに従って順に浅くなるように設定することにより（図９）、底フラップ１５の切欠き１５ｂとともに、台紙面１１に近付くに従って高くなる段差を形成することができる（図８）。
【００２４】
なお、仕切面１２は、折り線１２ｃ、１２ｃ…を介して３枚以上を台紙面１１と逆方向に連接してもよい（図１０（Ｂ））。ｎ枚の仕切面１２、１２…を設けることにより、ｎ＋１枚のコンパクトディスクＣＤ、ＣＤ…を収納することができる。ただし、図１０（Ａ）、（Ｂ）は、それぞれ図５相当の模式図であり、図１０において、一点鎖線Ａ、Ａ…は、図３と同様に、接着剤の塗布範囲を示している。
【００２５】
また、以上の各実施の形態において、底フラップ１５の左右の各辺には、折り線１６ａを介してのり代１６を形成することができる（図１１）。ただし、図１１（Ａ）、（Ｂ）は、それぞれ要部展開図、図１０（Ａ）相当図であり、図１１（Ｂ）の一点鎖線Ａ、Ａ…は、図３、図１０と同様に、接着剤の塗布範囲を示している。
【００２６】
底フラップ１５の両側端部は、内側に折り込むのり代１６、１６を介して底フラップ１５に最も近い仕切面１２の両側端部に接着することができる。底フラップ１５を仕切面１２に接着しても、底フラップ１５、仕切面１２間のコンパクトディスクＣＤの収納空間が狭くなることがないから、台紙面１１をほぼ正方形に形成することができる。なお、各のり代１６用の折り線１６ａは、平行な２条を設けて、必要なつま面を形成してもよい。複数枚の仕切面１２、１２…を連接するとき、隣接する仕切面１２、１２の間の折り線１２ｃについても、全く同様である。
【００２７】
以上の説明において、包装体に収納するシート物は、コンパクトディスクＣＤに限らず、フロッピディスク、小冊子などの任意のシート状物であってもよい。また、収納するシート物は、必ずしも同形同大でなくてもよく、異なる物品の組合せであってもよい。なお、互いに接触してもよいシート物は、仕切面１２と台紙面１１、底フラップ１５との間、各仕切面１２の間の各収納空間にそれぞれ２枚以上をまとめて収納してもよい。
【図面の簡単な説明】
【００２８】
【図１】全体斜視説明図
【図２】展開図
【図３】図１の中央横断面相当組立模式図
【図４】図１の中央縦断面相当図
【図５】図１の中央横断面相当図
【図６】完成状態の要部中央縦断面図
【図７】完成状態斜視図
【図８】他の実施の形態を示す図１相当図
【図９】図８の展開図
【図１０】図５相当の模式説明図
【図１１】他の実施の形態を示す模式説明図
【符号の説明】
【００２９】
１１…台紙面
１２…仕切面
１２ａ、１２ｃ…折り線
１３…のり代
１３ａ…折り線
１４…蓋フラップ
１４ａ…折り線
１４ｃ…挿入片
１５…底フラップ
１５ａ…折り線
１５ｃ…スリット
１６…のり代
１６ａ…折り線
１２ｂ、１５ｂ…切欠き
特許出願人          株式会社  本荘美術印刷
代理人  弁理士              松  田  忠  秋
【図１】
2006016062.tif 000003
【図２】
2006016062.tif 000004
【図３】
2006016062.tif 000005
【図４】
2006016062.tif 000006
【図５】
2006016062.tif 000007
【図６】
2006016062.tif 000008
【図７】
2006016062.tif 000009
【図８】
2006016062.tif 000010
【図９】
2006016062.tif 000011
【図１０】
2006016062.tif 000012
【図１１】
2006016062.tif 000013